(57)【特許請求の範囲】
【請求項１】
発泡ウレタンなどの弾性板よりなる日除け板本体に、ヘルメットの頭部が挿入され、鍔が通過しない大きさの貫通孔を穿設し、該貫通孔の周縁後部の外方に貫通孔の中心を通る線と交差する方向の後部切り込みを設けることによって、貫通孔の周縁後部と後部切り込みの間に、貫通孔に頭部を挿入したヘルメットの鍔を下方から支持する後部ベルトと、該後部ベルトの外方に前記後部切り込みによって切り起こし可能であって、貫通孔に頭部を挿入したヘルメットの鍔を上方から押圧する後部押圧片を形成するとともに、 
貫通孔の周縁前部の外方に、前記貫通孔の中心を通る線と交差する方向の前部切り込みを設けることによって、貫通孔の周縁前部と前部切り込みの間に貫通孔に頭部を挿入したヘルメットの鍔を上方から押圧する前部ベルトと、該前部ベルトの外方に前部切り込みによって切り起こし可能であって、貫通孔に頭部を挿入したヘルメットの鍔を下方から支受する前部支受片を形成し、
前記、貫通孔の周縁後部には、その両端を貫通孔の周縁から側方に切り込んで、周縁後部切り込みを形成し、該周縁後部切り込みと貫通孔の周縁とによって貫通孔に頭部を挿入したヘルメットの鍔を上方から押圧する押圧部を形成したことを特徴とするヘルメット用日除け板。
【発明の詳細な説明】
【技術分野】
【０００１】
この発明は、主として屋外作業用ヘルメットに装着して使用する、ヘルメット用日除け板に関する発明である。
【背景技術】
【０００２】
屋外作業でヘルメットを被る場合に、なるべく陽射しを避けるために、例えばヘルメットの後頭部に日除けを垂らすことが行われている。また、特許文献１〜４に開示されるようにヘルメットに日除けとなる庇を着脱する思想も存在する。特許文献１には、日除け本体の貫通孔の内周部分に滑り止めゴムシートを設け装着状態を維持する思想が、特許文献２には、日除けとなる可撓性部材をスポンジ系のゴム輪によって装着する構造が、特許文献３には環状庇本体の詰襟部に係止片を設けて、これをヘルメットに装着する思想が、特許文献４には、合成樹脂板による環状の庇であって、透孔の内周に突片を形成しておき、突片を折曲した状態でヘルメットに装着し、突片を内装取付用紐の下側に位置させ、上方への逸脱を防止する思想が開示されている。
【先行技術文献】
【特許文献】
【０００３】
【特許文献１】実用新案登録第３０３２４７７号公報
【特許文献２】実用新案登録第３１２３２４８号公報
【特許文献３】実開昭５４−１１９７１６号公報
【特許文献４】実公昭４６−２７６２４号公報
【発明の概要】
【発明が解決しようとする課題】
【０００４】
特許文献１ないし４に開示される従来の日除けは、日除け部材の中心部に穿設した貫通孔にヘルメットの頭部を挿入し、挿入した日除け部材が脱落しないように貫通孔の周縁に摩擦抵抗の大きな滑り止めゴムシート(引用文献１)やゴム輪(引用文献２)を設けている。
このようなものでは、ゴムによる抵抗のみで日除け板を保持させるため、強風に煽られた場合などに日除け板が飛ばされてしまう可能性があった。
【０００５】
また、特許文献３に開示されるように、環状の庇にヘルメットの外周縁に係止するための係止片を設けるものでは、装着に手数を要するとともに、日除けそのものの製造に手数を要し、日除け板を安価に提供することができない欠点があった。特許文献４に記載された発明では、ヘルメットの内装取付用紐とヘルメット本体との間に庇の突片を挟み込むものであるため、必ずしも庇がしっかりと保持されるとは限らず、外れ易い欠点がある。
【０００６】
上記、従来技術の欠点に鑑み、本発明は、ヘルメットに対して装着が簡単であって外れにくく、安価に提供することができる、ヘルメット用日除け板を実現することを目的とするものである。また、ヘルメット用日除け板自体が熱くなるのをなるべく防止するヘルメット用日除け板を実現することを目的とするものである。
【課題を解決するための手段】
【０００７】
上記目的を達成する、請求項１記載の本発明は、ヘルメットに装着する日除け板を発泡ウレタンなどの弾性板で形成する。  
発泡ウレタンなどの弾性板よりなる日除け板本体１に、ヘルメット２の頭部３が挿入され、鍔４が通過しない大きさの貫通孔５を穿設する。この貫通孔５の周縁後部 5aの外方に貫通孔５の中心Ｏを通る線Ｘと交差する方向の後部切り込み６を設けることによって、前記貫通孔５の周縁後部5aと前記後部切り込み６の間に貫通孔に頭部を挿入したヘルメット２の鍔４を下方から支持する後部ベルト７と、前記後部ベルト７の外方に後部切り込み６によって切り起こし可能であって、貫通孔に頭部を挿入したヘルメットの鍔４を上方から押圧する後部押圧片８を形成する。
さらに、貫通孔５の周縁前部5bの外方に、前記貫通孔５の中心を通る線と交差する方向の前部切り込み９を設けることによって、貫通孔５の周縁前部 5bと前部切り込み９の間に貫通孔５に頭部を挿入したヘルメットの鍔４を上方から押圧する前部ベルト11 と、該前部ベルト11の外方に前部切り込み９によって切り起こし可能であって、貫通孔に頭部を挿入したヘルメットの鍔４を下方から支受する前部支受片10を形成する。
【０００８】
前記、貫通孔５の周縁後部5aには、その両端は貫通孔５の周縁から側方に切り込んで周縁後部切り込み12を形成する。この、周縁後部切り込み12と貫通孔５の周縁とによって貫通孔に頭部を挿入したヘルメット２の鍔４を上方から押圧する押圧部14を形成する。
【０００９】
上記、本発明を実施する上において、前記後部ベルト７及び前部ベルト11を形成した以外の貫通孔５の側縁に、先端が貫通孔の周縁から貫通孔の内方に突出し、両端が側部切り込み13によって貫通孔５の周縁に切り込まれる、貫通孔５の周縁と逆湾曲形状の凸弧状である、側部支受片16を形成するのが好ましい。このとき、側部切り込み13と、貫通孔５の周縁との間に側部支受片16とは反対方向から貫通孔に頭部を挿入したヘルメットの鍔４を押圧する押圧部14が形成される。
また、後部切り込み６、前部切り込み９、周縁後部切り込み12、側部切り込み13の先端に丸みのある小さな貫通孔15を穿設するのが好ましい。さらに、日除け板本体１の表面に光の反射層17を形成するのが好ましい。
【発明の効果】
【００１０】
請求項１記載の発明によれば、日除け板本体１の貫通孔５に、ヘルメット２の頭部３を挿入し、後部切り込み６によって形成された後部ベルト７をヘルメット２の鍔４の下に挿入するとともに、後部切り込み６によって分離された後部押圧片８を鍔４の上に位置させる。これにより、ヘルメットの後部において鍔４を後部ベルト７と後部押圧片８で上下方向から挟み込む。
さらに、貫通孔に頭部を挿入したヘルメットの前部において、前部ベルト11が上となるように、前部切り込み９に貫通孔に頭部を挿入したヘルメット２の鍔４を挿入するとともに、前部切り込み９によって分離された前部支受片10を鍔４の下に位置させることにより、貫通孔に頭部を挿入したヘルメット２の前部において鍔４を上下方向から挟み込む。
このように本発明では、日除け板本体１の弾性によって貫通孔に頭部を挿入したヘルメットの前後位置において鍔４を上下から挟み込むように機能させることができるため、比較的簡単に、かつ、しっかりと装着することができる。
【００１１】
また、請求項１記載の本発明は、発泡ウレタンなどの弾性板に、貫通孔５を穿設し、後部切り込み６や前部切り込み９といった複数の切り込みを設けるだけの簡単な構造であるため、ヘルメットに装着した場合に、軽量であって、使用者の作業の負担とならない効果がある。また、本発明品は、例えば発泡ウレタン製の板材の打ち抜き加工によって簡単に製造することができるため、安価に提供することができる。
【００１２】
なお、後部周縁の両端に周縁後部切り込み12が形成されていることによって、鍔４を貫通孔５の周縁後部切り込み12に挿入させて容易に装着することができる。このとき、後部ベルト７以外の貫通孔５の周縁部全体で鍔４を上方から押圧することになるため、ヘルメット用日除け板を非常に安定よく支持することができる。
【００１３】
本発明を実施する上において、後部ベルト７及び前部ベルト11を形成した以外の貫通孔の側縁に、先端が貫通孔の周縁から貫通孔の内方に突出し、両端が側部切り込み13によって貫通孔の周縁に切り込まれる、貫通孔５の周縁と逆湾曲形状の凸弧状である、側部支受片16を形成した場合、日除け板本体１をヘルメット２に対して、より一層安定的に装着することができる。
【図面の簡単な説明】
【００１４】
【図１】図１は、本発明ヘルメット用日除け板の斜視図、
【図２】図２は、ヘルメット用日除け板の平面図、
【図３】図３は、ヘルメットに図１に示すヘルメット用日除け板を装着した状態の平面図、
【図４】図４は、ヘルメットに図１に示すヘルメット用日除け板を装着した状態の底面図、
【図５】図５は、図３のＶ−Ｖ線断面図、
【図６】図６は、図３のVI−VI線断面図、
【図７】図７は、別の実施形態を示すヘルメット用日除け板平面図、
【図８】図８は、日除け板本体の表面に反射層を形成した実施形態を示す斜視図である。
【発明を実施するための形態】
【００１５】
以下、本発明に係るヘルメット用日除け板の実施形態を添付の図面に基づいて説明する。図１は、日除け板全体の斜視図、図２は平面図である。
本発明に係る日除け板は、適度な弾性と強度を有する合成樹脂板を用いて製造することができる。好ましくは、発泡ウレタンのような発泡合成樹脂材製の板材を用いることによって、ヘルメットに日除けとして装着しても作業の邪魔にならない、軽量であって断熱性に優れたものとすることができる。
【００１６】
図１、図２に示すように、本発明ヘルメット用日除け板は、ヘルメットの全周にほぼ一定幅の庇が突出する程度の環状板とする。
すなわち、略楕円形の弾性板よりなる日除け板本体１に、ヘルメット２の頭部３が挿入され、鍔４が通過しない大きさの貫通孔５を穿設する。この貫通孔５周縁の外周方、具体的にはヘルメットの後頭部に相当する部分に、貫通孔５の中心Ｏを通る線Ｘ(中心線)と交差(直交)する方向に後部切り込み６を設けることによって、貫通孔５の周縁と前記後部切り込み６の間に貫通孔に頭部を挿入したヘルメット２の鍔４を下方から支受する後部ベルト７を形成する。
【００１７】
図１、図２の実施形態においては、貫通孔５の周縁の周縁後部5aは、ヘルメット頭部の外周位置よりも中心方向に移動させて大きな曲率半径の曲線とし、その両端を貫通孔５の周縁よりも外方に一定寸法(実寸で２cm程度)の周縁後部切り込み12部分を形成している。周縁後部5aから一定寸法外方には、周縁後部5aと平行するように後部切り込み６を設けて一定幅のベルト、すなわち後部ベルト７を形成する。後部切り込み６を設けることによって、後部切り込み６の外方には切り起こし可能な後部押圧片８が形成される。
貫通孔５の周縁後部5aには、その両端を貫通孔５の周縁から側方に切り込んで、周縁後部切り込み12,12を形成する。この、周縁後部切り込み12と貫通孔の周縁とによって貫通孔に頭部を挿入したヘルメットの鍔４を上方から押圧する押圧部14が形成される。
【００１８】
日除け板本体１の前方には、貫通孔５の周縁、すなわち周縁前部5bから例えば１cm程度前方に、貫通孔５の周縁前部5bと逆方向の湾曲形状である前部切り込み９を設けている。前部切り込み９を設けることによって、貫通孔５周縁と前部切り込み９の間に帯状の前部ベルト11が形成されるとともに、前部切り込み９の前方に切り起こし可能な舌片状の前部支受片10が形成される。
【００１９】
上記構造の日除け板は、図３〜図６に示す状態でヘルメット２に装着する。すなわち、図３、図５から理解されるように、日除け板本体１の貫通孔５にヘルメット２の頭部３を挿入(図５)し、後部ベルト７をヘルメット２の下方に位置させ、後部切り込み６よりも後方の後部押圧片８を鍔４の上に出す。
一方、前方部分においては、日除け板本体１の前部切り込み９に、ヘルメット２前方の鍔４(庇部分)を下方から上方に向けて差し込むことによって、日除け板本体１をヘルメット２に装着することができる。
【００２０】
上記方法によってヘルメット２に装着したヘルメット用日除け板は、図４、図５に示すようにヘルメット２の後部を後部ベルト７によって比較的幅広の範囲を支持するとともに、ヘルメット２の前部において鍔４(庇部分)の前端部を前部支受片10によって下から上に押圧し、鍔４の上面において帯状の前部ベルト11によって支受する。これにより、ヘルメット２に対して日除け板本体１が安定的に装着される。
【００２１】
すなわち、ヘルメットの鍔４の後端部を後部ベルト７で下から支え、前端部を前部支受片10で下から支える。一方、鍔４の後端部を後部押圧片８で上から押圧するとともに、鍔４の前端部を前部ベルト11で上方から押圧する。
このとき、前部ベルト11と連続的にヘルメットの後部にある後部ベルト７の周縁後部切り込み12までの、貫通孔５の周縁が図３に示すように、押圧部14となって鍔４を上方から支える(押える)ことになる。そのため、全体として日除け板を極めて安定よくヘルメットに装着することができる。
【００２２】
図７に示す実施形態は、図２に示す実施形態の後部ベルト７及び前部ベルト11を形成した以外の貫通孔５の側縁に、先端が貫通孔の周縁から貫通孔の内方に突出し、両端が側部切り込み13によって貫通孔５の周縁に切り込まれる、貫通孔５の周縁と逆湾曲形状の凸弧状である、側部支受片16、16を形成したものである。この実施形態では、図１に示す実施形態のように、ヘルメットの鍔４の後端部を後部ベルト７で、前端部を前部支受片10で下から支え、鍔４の後端部を後部押圧片８で上から押圧するとともに、鍔４の前方部分は前部ベルト11で鍔４の上方を支受するように装着する。さらに、貫通孔５の左右両側縁に配置した側部支受片16,16を鍔４の下に挿入し、鍔の両側部分を側部支受片16と押圧部14で上下方向から挟むように支持する。
【００２３】
図１〜図６に示す実施形態においては、貫通孔５の周縁後部5aに形成される後部ベルト７以外の周縁が、ヘルメット２の鍔４の上面に当接するものであるのに対して、図７に示す実施形態では、周縁の二か所において側部支受片16が鍔４の下側に位置し、該部分において側部支受片16と押圧部14で鍔４を挟むように作用する。そのため、日除け板本体がより安定するものである。
【００２４】
本発明では、板状の日除け板本体に対して、後部切り込み６、前部切り込み９、周縁後部切り込み12や、側部切り込み13を設ける。これら切り込みの先端には、丸みのある小さな貫通孔15,15を穿設することによって、応力の集中を回避し、切り込みの先端から破損するのを防止することができる。
【００２５】
図８に示す実施形態は、日除け板本体１の表面、具体的には上面に光の反射層17を形成するものである。反射層17を形成することによって、屋外作業に際して光が反射し、日除け板本体１そのものが加熱されることを防止し、作業者を効果的に保護することができる。強烈な日差し、あるいは何らかの熱源が近くにある場合、合成樹脂製の日除け板本体１は変形する可能性があるが、日除け板表面に反射層17を形成することによって熱による変形をなるべく回避することができる。
【００２６】
日除け板本体１の表面に反射層を形成するには、アルミニウム箔の裏面に粘着層を形成した反射材を貼着することによって実現することができる。あるいは、ニッケルなどの金属を蒸着する他、塗装によっても反射層を形成することができる。
【符号の説明】
【００２７】
１…日除け板本体、  ２…ヘルメット、  ３…頭部、  ４…鍔、  ５…貫通孔、  5a…周縁後部、  5b…周縁前部、  ６…後部切り込み、  ７…後部ベルト、  ８…後部押圧片、  ９…前部切り込み、  10…前部支受片、  11…前部ベルト、  12…周縁後部切り込み、  13…側部切り込み、  14…押圧部、  15…貫通孔、  16…側部支受片、  17…反射層。
【図１】
0006147179.tif 000002
【図２】
0006147179.tif 000003
【図３】
0006147179.tif 000004
【図４】
0006147179.tif 000005
【図５】
0006147179.tif 000006
【図６】
0006147179.tif 000007
【図７】
0006147179.tif 000008
【図８】
0006147179.tif 000009